(57)【要約】【課題】電圧増幅回路を電圧電流変換回路として重畳コンデンサＣ２、負荷抵抗ＲＬを定電流源でドライブすることにより、負荷抵抗ＲＬには定電流が流れ、パルス幅による負荷抵抗ＲＬの電圧分圧差を無くすことにより、重畳コンデンサＣ２のコンデンサ容量を下げること、及びコンデンサの容量を下げることにより、回路の小スペース化を図る。【解決手段】信号重畳回路は、基準となる中間レベル電圧と、該中間レベル電圧より高い高レベル電圧と、前記中間レベル電圧より低い低レベル電圧との３電圧を有し、信号を出力するときは高レベル電圧と低レベル電圧を特定周波数で切替えて出力し、信号を出力しないときは中間レベル電圧を出力する信号生成回路と、信号生成回路から出力されている電圧に応じた電流を出力する電圧電流変換回路と、電圧電流変換回路から出力する電圧を、中間レベル電圧を基準に振幅するように制御するオフセット電圧キャンセル回路と、前記電圧電流変換回路が出力するデジタル信号を、負荷に入出力されるアナログ入出力信号に重畳する重畳コンデンサと、からなる。【選択図】　　　図１
2004007173.tif 000002
【特許請求の範囲】
【請求項１】
基準となる中間レベル電圧と、該中間レベル電圧より高い高レベル電圧と、前記中間レベル電圧より低い低レベル電圧との３電圧を有し、信号を出力するときは前記高レベル電圧と前記低レベル電圧を特定周波数で切替えて出力し、信号を出力しないときは前記中間レベル電圧を出力する信号生成回路と、
前記信号生成回路から出力されている電圧に応じた電流を出力する電圧電流変換回路と、
前記電圧電流変換回路から出力する電圧を、前記中間レベル電圧を基準に振幅するように制御するオフセット電圧キャンセル回路と、
前記電圧電流変換回路が出力するデジタル信号を、負荷に入出力されるアナログ入出力信号に重畳する重畳コンデンサと、
からなる信号重畳回路。
【請求項２】
基準となる中間レベル電圧と、該中間レベル電圧より高い高レベル電圧と、前記中間レベル電圧より低い低レベル電圧の３電圧を有し、信号出力するときは前記高レベル電圧と前記低レベル電圧を特定周波数で交互に出力し、信号を出力しないときは前記中間レベル電圧を出力する信号生成回路と、
前記信号生成回路で作成されたデジタル信号波形のスロープ及び波高値を調整する波形整形回路と、
前記波形整形回路で調整された電圧に応じた電流を出力する電圧電流変換回路と、
前記電圧電流変換回路から出力する電圧を、前記中間レベル電圧を基準に振幅するように該電圧電流変換回路を制御するオフセット電圧キャンセル回路と、
前記電圧電流変換回路が出力するデジタル信号を、負荷に入出力されるアナログ入出力信号に重畳する重畳コンデンサと、
からなる信号重畳回路。
【請求項３】
基準となる中間レベル電圧と、該中間レベル電圧より高い高レベル電圧と、前記中間レベル電圧より低い低レベル電圧の３電圧を有し、信号出力するときは前記高レベル電圧と前記低レベル電圧を特定周波数で交互に出力し、信号を出力しないときは前記中間レベル電圧を出力する信号生成回路と、
前記信号生成回路で作成されたデジタル信号波形のスロープ及び波高値を調整する波形整形回路と、
前記波形整形回路で調整された電圧に応じた電流を出力する電圧電流変換回路と、
前記電圧電流変換回路から出力する電圧を、前記中間レベル電圧を基準に振幅するように該電圧電流変換回路を制御するオフセット電圧キャンセル回路と、
前記電圧電流変換回路から出力される信号を多チャネルに対して順次出力するマルチプレクサ回路と、
前記マルチプレクサ回路を経由して出力されるデジタル信号を、負荷に入出力されるアナログ入出力信号に重畳する重畳コンデンサと、
からなる信号重畳回路。
【請求項４】
基準となる中間レベル電圧と、該中間レベル電圧より高い高レベル電圧と、前記中間レベル電圧より低い低レベル電圧の３電圧を有し、信号出力するときは高レベル電圧と低レベル電圧を特定周波数で交互に出力し、信号を出力しないときは中間レベル電圧を出力する信号生成回路と、
前記信号生成回路で作成されたデジタル信号波形のスロープ及び波高値を調整する波形整形回路と、
前記波形整形回路で調整された電圧に応じた電流を出力する電圧電流変換回路と、
前記電圧電流変換回路が出力する電圧が中間レベル電圧を基準に振幅するように該電圧電流変換回路を制御するオフセット電圧キャンセル回路と、
前記電圧電流変換回路から出力される信号を多チャネルに対して順次出力するスイッチを備えたマルチプレクサ回路と、
前記マルチプレクサ回路のスイッチの出力側の電圧を前記中間レベル電圧にしておくための中間レベル電圧保持抵抗と、
前記マルチプレクサ回路を経由して出力されるデジタル信号を、負荷に入出力されるアナログ入出力信号に重畳する重畳コンデンサと、
からなる信号重畳回路。
【発明の詳細な説明】
【０００１】
【発明の属する技術分野】
本発明は、アナログ入出力信号に交流のデジタル信号を重畳する信号重畳回路に関する。
【０００２】
【従来の技術】
従来技術における信号重畳回路は、図４に示すように、所定の信号を生成して送出する信号生成回路２１と、信号生成回路２１からの信号を増幅する電圧増幅回路２２と、増幅された信号を重畳する重畳コンデンサＣ２（２３）と、この重畳コンデンサＣ２（２３）で重畳した信号を印加する負荷抵抗ＲＬ（２４）とからなる。
【０００３】
信号生成回路２１は、基準となる中間レベル電圧ＭＶと、この中間レベル電圧ＭＶより高い高レベル電圧ＨＶと、中間レベル電圧ＭＶより低い低レベル電圧ＬＶとの３電圧を有し、高レベル電圧ＨＶと低レベル電圧ＬＶの切替えを所定の周波数で行うスイッチＳＷ１と、このスイッチＳＷ１の出力側に接続され、スイッチＳＷ１からの電圧と、中間レベル電圧ＭＶとを切替えるスイッチＳＷ２を備えた構成になっている。
【０００４】
電圧増幅回路２２は、信号生成回路２１から出力されている電圧を増幅した電圧を出力するものであり、信号生成回路２１からの信号を抵抗Ｒ１を介して入力する反転入力端子と、出力側の信号をフィードバックする抵抗Ｒ３を介して入力する非反転入力端子とを有するオペアンプＯＰ１と、オペアンプＯＰ１の出力側に接続されている抵抗Ｒ５と、抵抗Ｒ５の出力側から分岐し直列接続の抵抗Ｒ１０、Ｒ１１と、抵抗Ｒ１０、Ｒ１１の中間位置の分電圧をオペアンプＯＰ１の非反転入力端子に抵抗Ｒ３を介して入力する構成になっている。この直列接続の抵抗Ｒ１０、Ｒ１１の他端は中間レベル電圧ＭＶに接続されている。
【０００５】
このような構成からなる信号重畳回路において、通信していないときは、信号生成回路２１のスイッチＳＷ２が中間レベル電圧ＭＶ側になる。そして、電圧増幅回路２２はオペアンプＯＰ１で中間レベル電圧ＭＶをゲイン倍して出力する。そして、このオペアンプＯＰ１の出力は、中間レベル電圧ＭＶで均衡されてフィードバックされるため、負荷抵抗ＲＬ（２４）へのデジタル信号は出力されない。
【０００６】
通信しているときは、信号生成回路２１のスイッチＳＷ２がスイッチＳＷ１側に接続され、スイッチＳＷ１は特定周波数で高レベル電圧ＨＶ側、低レベル電圧ＬＶ側を交互にスイッチし、信号生成回路２１から高レベル電圧ＨＶ、低レベル電圧ＬＶが交互に出力される。２種類の周波数を使うことによりデジタルの０、１を表現する。
電圧増幅回路２２は高レベル電圧ＨＶが印加されるとゲイン倍した電圧を重畳コンデンサＣ２（２３）、負荷抵抗ＲＬ（２４）に対して印加される。又、低レベル電圧ＬＶが印加されるとゲイン倍した電圧を重畳コンデンサＣ２（２３）、負荷抵抗ＲＬ（２４）に対して印加する。信号生成回路２１からの信号を出力することにより負荷抵抗ＲＬ（２４）の両端に交流のデジタル信号が重畳される。
【０００７】
【発明が解決しようとする課題】
しかしながら、従来技術で説明した回路において、重畳コンデンサＣ２、負荷抵抗ＲＬを定電圧源でドライブする従来方式では、重畳コンデンサＣ２と負荷抵抗ＲＬで分圧された電圧が負荷抵抗ＲＬに現れるので信号生成回路のパルス幅が変わると重畳コンデンサＣ２と負荷抵抗ＲＬの分圧比が変わるため、負荷抵抗ＲＬに重畳される電圧の振幅に差が生じていた。この差を小さくするためには高容量の大型コンデンサが必要であった。限られた部品実装スペースで多チャンネルアナログ入出力モジュールを実現しようとする場合、従来技術の回路の場合、この重畳コンデンサＣ２のコンデンササイズが大きくなり問題であった。
【０００８】
従って、電圧増幅回路を電圧電流変換回路として重畳コンデンサＣ２、負荷抵抗ＲＬを定電流源でドライブすることにより、負荷抵抗ＲＬには定電流が流れ、パルス幅による負荷抵抗ＲＬの電圧分圧差を無くすことにより、重畳コンデンサＣ２のコンデンサ容量を下げること、及びコンデンサの容量を下げることにより、回路の小スペース化を図ることに解決しなければならない課題を有する。
【０００９】
【課題を解決するための手段】
上記課題を解決するために、本発明に係る信号重畳回路は、次に示す構成にすることである。
【００１０】
（１）信号重畳回路は、基準となる中間レベル電圧と、該中間レベル電圧より高い高レベル電圧と、前記中間レベル電圧より低い低レベル電圧との３電圧を有し、信号を出力するときは前記高レベル電圧と前記低レベル電圧を特定周波数で切替えて出力し、信号を出力しないときは前記中間レベル電圧を出力する信号生成回路と、前記信号生成回路から出力されている電圧に応じた電流を出力する電圧電流変換回路と、前記電圧電流変換回路から出力する電圧を、前記中間レベル電圧を基準に振幅するように制御するオフセット電圧キャンセル回路と、前記電圧電流変換回路が出力するデジタル信号を、負荷に入出力されるアナログ入出力信号に重畳する重畳コンデンサと、からなる。
【００１１】
（２）信号生成回路は、基準となる中間レベル電圧と、該中間レベル電圧より高い高レベル電圧と、前記中間レベル電圧より低い低レベル電圧の３電圧を有し、信号出力するときは前記高レベル電圧と前記低レベル電圧を特定周波数で交互に出力し、信号を出力しないときは前記中間レベル電圧を出力する信号生成回路と、前記信号生成回路で作成されたデジタル信号波形のスロープ及び波高値を調整する波形整形回路と、前記波形整形回路で調整された電圧に応じた電流を出力する電圧電流変換回路と、前記電圧電流変換回路から出力する電圧を、前記中間レベル電圧を基準に振幅するように該電圧電流変換回路を制御するオフセット電圧キャンセル回路と、前記電圧電流変換回路が出力するデジタル信号を、負荷に入出力されるアナログ入出力信号に重畳する重畳コンデンサと、からなる。
【００１２】
（３）信号重畳回路は、基準となる中間レベル電圧と、該中間レベル電圧より高い高レベル電圧と、前記中間レベル電圧より低い低レベル電圧の３電圧を有し、信号出力するときは前記高レベル電圧と前記低レベル電圧を特定周波数で交互に出力し、信号を出力しないときは前記中間レベル電圧を出力する信号生成回路と、前記信号生成回路で作成されたデジタル信号波形のスロープ及び波高値を調整する波形整形回路と、前記波形整形回路で調整された電圧に応じた電流を出力する電圧電流変換回路と、前記電圧電流変換回路から出力する電圧を、前記中間レベル電圧を基準に振幅するように該電圧電流変換回路を制御するオフセット電圧キャンセル回路と、前記電圧電流変換回路から出力される信号を多チャネルに対して順次出力するマルチプレクサ回路と、前記マルチプレクサ回路を経由して出力されるデジタル信号を、負荷に入出力されるアナログ入出力信号に重畳する重畳コンデンサと、からなる。
【００１３】
（４）信号重畳回路は、基準となる中間レベル電圧と、該中間レベル電圧より高い高レベル電圧と、前記中間レベル電圧より低い低レベル電圧の３電圧を有し、信号出力するときは高レベル電圧と低レベル電圧を特定周波数で交互に出力し、信号を出力しないときは中間レベル電圧を出力する信号生成回路と、前記信号生成回路で作成されたデジタル信号波形のスロープ及び波高値を調整する波形整形回路と、前記波形整形回路で調整された電圧に応じた電流を出力する電圧電流変換回路と、前記電圧電流変換回路が出力する電圧が中間レベル電圧を基準に振幅するように該電圧電流変換回路を制御するオフセット電圧キャンセル回路と、前記電圧電流変換回路から出力される信号を多チャネルに対して順次出力するスイッチを備えたマルチプレクサ回路と、前記マルチプレクサ回路のスイッチの出力側の電圧を前記中間レベル電圧にしておくための中間レベル電圧保持抵抗と、前記マルチプレクサ回路を経由して出力されるデジタル信号を、負荷に入出力されるアナログ入出力信号に重畳する重畳コンデンサと、からなる。
【００１４】
このように、重畳コンデンサ及び負荷抵抗を定電流限でドライブするようにしたことにより、重畳コンデンサの容量を下げることが可能になる。
【００１５】
【発明の実施の形態】
次に、本発明に係る信号重畳回路の実施形態について、図面を参照して説明する。
【００１６】
本発明に係る信号重畳回路は、図１に示すように、所定の信号を生成して送出する信号生成回路１１と、信号生成回路１１からの電圧を電流に変換する電圧電流変換回路１２と、電圧電流変換回路１２からの電圧をオフセットキャンセルするオフセット電圧キャンセル回路１３と、電圧電流変換回路１２で生成された信号を重畳する重畳コンデンサＣ２（１４）と、この重畳コンデンサＣ２（１４）で重畳した信号を印加する負荷抵抗ＲＬ（１５）とからなる。
【００１７】
信号生成回路１１は、基準となる中間レベル電圧ＭＶと、この中間レベル電圧ＭＶより高い高レベル電圧ＨＶと、中間レベル電圧ＭＶより低い低レベル電圧ＬＶとの３電圧を有し、高レベル電圧ＨＶと低レベル電圧ＬＶの切替えを所定の周波数で行うスイッチＳＷ１と、このスイッチＳＷ１の出力側に接続され、スイッチＳＷ１からの電圧と、中間レベル電圧ＭＶとを切替えるスイッチＳＷ２を備えた構成になっている。
【００１８】
電圧電流変換回路１２は、信号生成回路１１から出力されている電圧に応じた電流を出力するものであり、抵抗Ｒ１、Ｒ２、Ｒ３、Ｒ４、Ｒ５と、オペアンプＯＰ１、ＯＰ２とから構成され、その接続状態は、信号生成回路１１を構成するスイッチＳＷ２の出力側が抵抗Ｒ１を介してオペアンプＯＰ１の非反転入力端子に接続すると共に、オペアンプＯＰ１の出力側が抵抗Ｒ２を介してこの非反転入力端子に接続し、その出力側が抵抗Ｒ５を介してオペアンプＯＰ２の非反転入力端子に接続すると共に、オフセット電圧キャンセル回路１３と重畳コンデンサＣ２（１４）に接続した構成になっている。又、オペアンプＯＰ２の出力側は抵抗Ｒ４を介してオペアンプＯＰ１の非反転入力端子に接続している。オペアンプＯＰ２の出力側は、又、オペアンプＯＰ２の非反転入力端子に接続している。
更に、オペアンプＯＰ１の非反転入力端子にはオフセット電圧キャンセル回路１３と抵抗Ｒ３を介して接続した構成になっている。
【００１９】
オフセット電圧キャンセル回路１３は、電圧電流変換回路１２が出力する電圧を中間レベル電圧ＭＶを基準に振幅するように電圧電流変換回路１２を制御するものであり、抵抗Ｒ６、Ｒ７と、コンデンサＣ１と、オペアンプＯＰ３とから構成され、その接続状態は、オペアンプＯＰ３の反転入力端子は、電圧電流変換回路１２のオペアンプＯＰ１の出力側が抵抗Ｒ６を介して接続し、非反転入力端子が中間レベル電圧ＭＶに接続し、その出力側が抵抗Ｒ７とコンデンサＣ１の並列回路を介して非反転入力端子に接続すると共に、その出力側が電圧電流変換回路１２の抵抗Ｒ３を介してオペアンプＯＰ１の非反転入力端子に接続している。
【００２０】
このような構成からなる信号重畳回路において、通信していないときには、信号生成回路１１のスイッチＳＷ２が中間レベル電圧ＭＶ側になり、オペアンプＯＰ３の非反転入力端子には中間レベル電圧ＭＶが入力され、反転入力端子の入力が中間レベル電圧ＭＶになるような電圧を出力する。
【００２１】
そして、オペアンプＯＰ１の出力は、差動アンプ回路であり、スイッチＳＷ２からの中間レベル電圧ＭＶとオペアンプＯＰ３からの出力電圧の差を出力する。従って、オペアンプＯＰ１の出力は、中間レベル電圧ＭＶで均衡するのでデジタル信号は出力されない。
又、もし、オペアンプＯＰ１、ＯＰ２にオフセット電圧がある場合には、オペアンプＯＰ３はそれを打ち消すようにオペアンプＯＰ１にフィードバックをかけて均衡する。
【００２２】
通信しているときは、図１及び図２に示すように、信号生成回路１１のスイッチＳＷ２がスイッチＳＷ１側に接続され、スイッチＳＷ１は特定周波数で交互に高レベル電圧ＨＶ側、低レベル電圧ＬＶ側をスイッチし、信号生成回路１１から高レベル電圧ＨＶ及び低レベル電圧ＬＶが交互に出力される。
電圧電流変換回路１２は、高レベル電圧ＨＶが印加されると、負荷抵抗ＲＬ（１５）に対してその電圧に応じた定電流を流し込み、低レベル電圧ＬＶが印加されると定電流を引き込む。
オペアンプＯＰ１、ＯＰ２にオフセット電圧があると通信途中でオペアンプＯＰ１の出力電圧がオペアンプの定格出力電圧に達し、定電流出力が供給できなくなる。そのため、オペアンプＯＰ１の出力電圧が中間レベル電圧ＭＶを基準にして振幅するようにオペアンプＯＰ３にて制御する。オペアンプＯＰ３はデジタル信号の周波数帯域には感知しないローパスフィルタを構成する。
【００２３】
このようにして、同じ機能を持った従来技術での回路と本発明の回路では、従来技術では重畳コンデンサＣ２（１４）に大容量のコンデンサ容量が必要で部品サイズが大きいものを選択しなければならなかったが、本発明ではコンデンサの低容量化が可能になり、部品サイズを小さくすることが可能になる。
【００２４】
次に、本発明に係る第２の実施形態の信号重畳回路について、図面を参照して説明する。
【００２５】
第２の実施形態の信号重畳回路は、図３に示すように、所定の信号を生成して送出する信号生成回路１１と、信号生成回路１１からの信号にスロープをつけ、かつ波高値を調整する波形整形回路１６と、信号生成回路１１からの電圧を電流に変換する電圧電流変換回路１２と、電圧電流変換回路１２からの電圧をオフセットキャンセルするオフセット電圧キャンセル回路１３と、電圧電流変換回路からの信号を順次出力するＭＵＸ回路１７と、中間レベル電圧に保持する中間レベル電圧保持抵抗Ｒ９（１８）と、電圧電流変換回路１２で生成された信号を重畳する重畳コンデンサＣ２（１４）と、この重畳コンデンサＣ２（１４）で重畳した信号を印加する負荷抵抗ＲＬ（１５）とからなる。
ＭＵＸ回路１７、中間レベル電圧保持抵抗Ｒ９（１８）、重畳コンデンサＣ２（１４）、負荷抵抗ＲＬ（１５）はそれぞれ複数設けられている。
【００２６】
信号生成回路１１は、基準となる中間レベル電圧ＭＶと、この中間レベル電圧ＭＶより高い高レベル電圧ＨＶと、中間レベル電圧ＭＶより低い低レベル電圧ＬＶとの３電圧を有し、高レベル電圧ＨＶと低レベル電圧ＬＶの切替えを所定の周波数で行うスイッチＳＷ１と、このスイッチＳＷ１の出力側に接続され、スイッチＳＷ１からの電圧と、中間レベル電圧ＭＶとを切替えるスイッチＳＷ２を備えた構成になっている。
【００２７】
波形整形回路１６は、アナログ入出力機器間のデジタル信号の通信規格であるＨＡＲＴ規格（Ｈｉｇｈｗａｙ　Ａｄｄｒｅｓｓａｂｌｅ　Ｒｅｍｏｔｅ　Ｔｒａｎｓｄｕｃｅｒ；工業センサ用通信プロトコル）では負荷抵抗ＲＬ（１５）で受信する信号の電圧レベル、スロープが規定されている。そのため、ＲＣフィルタにより波形にスロープをつけることができる構成にし、又、信号線と中間レベル電圧ＭＶとの間にツェナーダイオードを双方向に入れることにより波高値を調整する構成になっている。その接続状態は、信号生成回路１１からの信号にスロープをつけるための抵抗Ｒ８及びコンデンサＣ３とを、中間レベル電圧ＭＶ側と高レベル電圧ＨＶ又は低レベル電圧ＬＶ側との間に直列に接続し、コンデンサＣ３に並列に逆特性になるように２個のツェナーダイオードＺＤ１、ＺＤ２を接続した構成になっている。
【００２８】
電圧電流変換回路１２は、波形整形回路１６で波形整形された、信号生成回路１１から出力されている電圧に応じた電流を出力するものであり、抵抗Ｒ１、Ｒ２、Ｒ３、Ｒ４、Ｒ５と、オペアンプＯＰ１、ＯＰ２とから構成され、その接続状態は、信号生成回路１１を構成するスイッチＳＷ２の出力側が抵抗Ｒ１を介してオペアンプＯＰ１の非反転入力端子に接続すると共に、オペアンプＯＰ１の出力側が抵抗Ｒ２を介してこの非反転入力端子に接続し、その出力側が抵抗Ｒ５を介してオペアンプＯＰ２の非反転入力端子に接続すると共に、オフセット電圧キャンセル回路１３と重畳コンデンサＣ２（１４）に接続した構成になっている。又、オペアンプＯＰ２の出力側は抵抗Ｒ４を介してオペアンプＯＰ１の非反転入力端子に接続している。オペアンプＯＰ２の出力側は、又、オペアンプＯＰ２の非反転入力端子に接続している。
更に、オペアンプＯＰ１の非反転入力端子にはオフセット電圧キャンセル回路１３と抵抗Ｒ３を介して接続した構成になっている。
【００２９】
オフセット電圧キャンセル回路１３は、電圧電流変換回路１２が出力する電圧を中間レベル電圧ＭＶを基準に振幅するように電圧電流変換回路１２を制御するものであり、抵抗Ｒ６、Ｒ７と、コンデンサＣ１と、オペアンプＯＰ３とから構成され、その接続状態は、オペアンプＯＰ３の反転入力端子は、電圧電流変換回路１２のオペアンプＯＰ１の出力側が抵抗Ｒ６を介して接続し、非反転入力端子が中間レベル電圧ＭＶに接続し、その出力側が抵抗Ｒ７とコンデンサＣ１の並列回路を介して非反転入力端子に接続すると共に、その出力側が電圧電流変換回路１２の抵抗Ｒ３を介してオペアンプＯＰ１の非反転入力端子に接続している。
【００３０】
ＭＵＸ回路１７は、電圧電流変換回路１２と重畳コンデンサＣ２（１４）との間に追加された回路であり、マルチプレクサを挿入することにより多チャンネルに対し、順次信号を出力することができるようになり、スイッチＳＷ３で構成されている。
【００３１】
中間レベル電圧保持抵抗１８は、ＭＵＸ回路１７と重畳コンデンサＣ２（１４）との間に設けたものであり、ＭＵＸ回路１７のスイッチＳＷ３をオンするときに重畳コンデンサＣ２（１４）の電位が不確定になるのを防止するものであり、ＭＵＸ回路１７のスイッチＳＷ３の出力側に中間レベル電圧ＭＶを抵抗Ｒ９を介して接続した構成になっている。このようにすることにより、抵抗Ｒ９をつけて中間レベル電圧ＭＶでプルアップすることにより重畳コンデンサＣ２（１４）の電位を明確にすることができ、スイッチオン時の意図しない信号の出力を防止することができる。
【００３２】
このように、波形整形回路１６を信号生成回路１１と電圧電流変換回路１２の間に追加したことにより、アナログ入出力信号が機器間のデジタル信号の通信規格であるＨＡＲＴ規格では負荷抵抗ＲＬ（１５）で受信する信号の電圧レベル、スロープが規定されているものに対応することができ、それはＲＣフィルタ（抵抗Ｒ８とコンデンサＣ３）により波形にスロープをつけることが可能である。又、信号線と中間レベル電圧ＭＶとの間にツェナーダイオードを双方向に入れる（ＺＤ１、ＺＤ２）ことにより波高値を調整することが可能になる。
電圧電流変換回路１２と重畳コンデンサＣ２（１４）の間にマルチプレクサであるＭＵＸ回路１７を追加することにより、多チャンネルに対し、順次信号を出力することが可能になる。
重畳コンデンサＣ２（１４）とＭＵＸ回路１７の間に中間レベル電圧ＭＶを保持する抵抗Ｒ９を追加することにより、スイッチＳＷ３をオンしたときに重畳コンデンサＣ２（１４）の電位が不確定となっているために発生する意図しない信号を出力することを防止できる。即ち、抵抗Ｒ９を付けて電位を明確にすることにより、スイッチのオン時の意図しない信号の出力を無くすことができる。
【００３３】
【発明の効果】
上記説明したように、本発明に係る信号重畳回路は、電圧増幅回路の替わりに電圧電流変換回路として重畳コンデンサＣ２、負荷抵抗ＲＬを定電流源でドライブすることにより、負荷抵抗ＲＬには定電流が流れ、パルス幅による負荷抵抗ＲＬの電圧分圧差を無くすことにより、重畳コンデンサＣ２のコンデンサ容量を下げることができるという効果がある。
【図面の簡単な説明】
【図１】本発明に係る第１の実施形態の信号重畳回路の回路図である。
【図２】同信号生成回路から出力する波形のタイミングチャートである。
【図３】本発明に係る第２の実施形態の信号重畳回路の回路図である。
【図４】従来技術における信号重畳回路の回路図である。
【符号の説明】
１１　　　信号生成回路
１２　　　電圧電流変換回路
１３　　　オフセット電圧キャンセル回路
１４　　　重畳コンデンサ
１５　　　負荷抵抗
１６　　　波形整形回路
１７　　　ＭＵＸ回路
１８　　　中間レベル電圧保持抵抗
【図１】
2004007173.tif 000003
【図２】
2004007173.tif 000004
【図３】
2004007173.tif 000005
【図４】
2004007173.tif 000006